(57)【要約】【課題】栽培樹木近傍の土壌を局所的に穿孔し、穿孔した各孔に肥料を投入するようにした局所施肥機を提供する。【解決手段】接地走行手段３を有する車台１には駆動手段５と、穿孔ドリル７と、肥料投入手段９とを備えさせ、該接地走行手段は、該駆動手段により回転駆動され、該穿孔ドリルは、車台の側部において尖端７ａを下方に臨ませた状態で上下方向に配設され、該穿孔ドリルは、該駆動手段により昇降・回転して栽培樹木近傍の土壌に上下方向の孔を穿孔し、該接地走行手段は、該穿孔ドリルが穿孔している間、回転を停止し、該肥料投入手段は、該穿孔ドリルが穿孔した孔中に肥料を投入するようにしたことを特徴とする局所施肥機。【選択図】図１
2012187012.tif 000002
【特許請求の範囲】
【請求項１】
接地走行手段を有する車台には駆動手段と、穿孔ドリルと、肥料投入手段とを備えさせ、
該接地走行手段は、該駆動手段により回転駆動され、
該穿孔ドリルは、車台の側部において尖端を下方に臨ませた状態で上下方向に配設され、
該穿孔ドリルは、該駆動手段により昇降・回転して栽培樹木近傍の土壌に上下方向の孔を穿孔し、
該接地走行手段は、該穿孔ドリルが穿孔している間、回転を停止し、
該肥料投入手段は、該穿孔ドリルが穿孔した孔中に肥料を投入するようにしたことを特徴とする局所施肥機。
【請求項２】
前記穿孔ドリルと前記肥料投入手段とをそれぞれ車台における左右各側部に備えさせたことを特徴とする請求項１に記載の局所施肥機。
【請求項３】
前記肥料投入手段は、前記穿孔ドリルとは別系統であり、該肥料投入手段の肥料投入口には開閉蓋を備えさせたことを特徴とする請求項１又は２に記載の局所施肥機。
【発明の詳細な説明】
【技術分野】
【０００１】
本発明は、茶園又は果樹園において使用される局所施肥機に関するものであり、特に、栽培樹木近傍の土壌を局所的に穿孔し、穿孔した各孔に肥料を投入するようにした局所施肥機に係るものである。
【０００２】
本発明において「栽培樹木」とは、茶樹又は果樹をいうものとする。
【背景技術】
【０００３】
特開２００１−６１３１８号公報は中耕施肥装置を開示している。該中耕施肥装置は、果樹園等の土壌を中耕して土壌中に肥料を施用するようにしたものである。すなわち、該中耕施肥装置は、固くなった畝間の土壌を細かく砕くことにより、除草すると共に土壌の通気性、透水性等を確保するために土壌を掘削するという中耕作業を行いつつ、掘削した土壌中に肥料を施用するようにしたものである。したがって、該中耕施肥装置における掘削回転軸は連続的に回転する。
【０００４】
また、該中耕施肥装置においては、掘削した土壌中に肥料を施用するための肥料放出管は、基部が該掘削回転軸に取り付けられている。すなわち、肥料放出管は掘削部内に組み込まれており、更には該肥料放出管の先端が地中に潜るように動作する。
【先行技術文献】
【特許文献】
【０００５】
【特許文献１】特開２００１−６１３１８号公報
【発明の概要】
【発明が解決しようとする課題】
【０００６】
上記中耕施肥装置においては、掘削回転軸を連続的に回転させて中耕作業を行うようにしているため、土壌が広範囲に掘削される。したがって、栽培樹木の根が広範囲にわたって切断され、損傷されるおそれがある。
【０００７】
また、上記中耕施肥装置においては、肥料放出管は掘削部内に組み込まれており、更には該肥料放出管の先端が地中に潜るように動作するため、該肥料放出管内には土あるいは土の湿気が付着し易く、その結果、肥料の円滑な放出が妨げられ、肥料が詰まる等の肥料投入不良が生ずるおそれがある。
【０００８】
一方、茶園等においては、高品質の茶葉等を得ようとして、しばしば広範囲に又は多量の窒素肥料が施用されるため、茶等の栽培が大きな環境負荷の発生源となっている。このような環境負荷を軽減するために、施肥位置を局所に限定し、栽培樹木の吸収根を施肥位置に誘引・集中させ、効率よく養分を吸収させることが望まれる。
【０００９】
上記従来の中耕施肥装置における上述の問題を解決すると共に、施肥による上述の如き環境負荷を軽減するという要求に鑑み、本発明は、栽培樹木近傍の土壌を局所的に穿孔し、穿孔した各孔に肥料を投入するようにした局所施肥機を提供しようとしてなされたものである。
【課題を解決するための手段】
【００１０】
上記課題を解決するために、本発明は下記の局所施肥機を提供するものである。
【００１１】
（１）接地走行手段を有する車台には駆動手段と、穿孔ドリルと、肥料投入手段とを備えさせ、
該接地走行手段は、該駆動手段により回転駆動され、
該穿孔ドリルは、車台の側部において尖端を下方に臨ませた状態で上下方向に配設され、
該穿孔ドリルは、該駆動手段により昇降・回転して栽培樹木近傍の土壌に上下方向の孔を穿孔し、
該接地走行手段は、該穿孔ドリルが穿孔している間、回転を停止し、
該肥料投入手段は、該穿孔ドリルが穿孔した孔中に肥料を投入するようにしたことを特徴とする局所施肥機（請求項１）。
【００１２】
（２）前記穿孔ドリルと前記肥料投入手段とをそれぞれ車台における左右各側部に備えさせる（請求項２）。
【００１３】
（３）前記肥料投入手段は、前記穿孔ドリルとは別系統であり、該肥料投入手段の肥料投入口には開閉蓋を備えさせる（請求項３）。
【発明の効果】
【００１４】
［請求項１の発明］
請求項１の発明によれば、車台の接地走行手段が停止し、車台が停車した状態で、穿孔ドリルが栽培樹木近傍の土壌に上下方向の孔を穿孔するようにしたため、栽培樹木近傍の土壌における穿孔される面積は極めて限られている。したがって、栽培樹木の根が切断され、損傷されるおそれは極めて小さい。
【００１５】
また、穿孔ドリルが穿孔した孔中に肥料投入手段が肥料を投入するようにしたため、施肥位置は極めて限定され、栽培樹木の吸収根を当該施肥位置に誘引・集中させ、効率よく養分を吸収させることができる。したがって、肥料による環境負荷が著しく軽減される。
【００１６】
［請求項２の発明］
請求項２の発明によれば、穿孔ドリルと肥料投入手段とをそれぞれ車台における左右各側部に備えさせたため、畝間の両側部における栽培樹木近傍の土壌に好ましく穿孔し、施肥することができる。すなわち、例えば茶園においては、畝間の両側部における雨落ち部（図１７における符号Ｄ参照）に好ましく穿孔し、施肥することができる。
【００１７】
［請求項３の発明］
請求項３の発明によれば、肥料投入手段は穿孔ドリルとは別系統であり、換言すれば、肥料投入手段は穿孔ドリルには組み込まれておらず、更に、該肥料投入手段の肥料投入口には開閉蓋を備えさせているため、該肥料投入手段内に土あるいは土の湿気が付着することがなく、肥料の詰まり等の不都合を生ずるおそれがない。すなわち、該肥料投入手段は肥料を孔中に円滑に投入することができる。また、肥料投入手段と穿孔ドリルとが別系統であるため、局所施肥機全体の構造が簡単になる。
【図面の簡単な説明】
【００１８】
【図１】図１は、本発明による局所施肥機の一例を概略的に示す側面図である。
【図２】図２は、同上平面図である。
【図３】図３は、穿孔ドリルを回転させるための手段の一例を概略的に示す側面図である。
【図４】図４は、接地走行手段と肥料投入手段と穿孔ドリルとの間の動力伝達手段の一例における一状態を示す説明図である。
【図５】図５は、同上の別の状態を示す説明図である。
【図６】図６は、同上の更に別の状態を示す説明図である。
【図７】図７は、同上の更に別の状態を示す説明図である。
【図８】図８は、同上の更に別の状態を示す説明図である。
【図９】図９は、同上の更に別の状態を示す説明図である。
【図１０】図１０は、同上の更に別の状態を示す説明図である。
【図１１】図１１は、同上の更に別の状態を示す説明図である。
【図１２】図１２は、穿孔ドリルを昇降させる手段の一例を示す説明図である。
【図１３】図１３は、肥料投入手段における肥料投入口を示す側面図である。
【図１４】図１４は、肥料投入手段を概略的に示す正面図である。
【図１５】図１５は、肥料投入手段における肥料計量ドラムの一例を示す断面図である。
【図１６】図１６は、同上の別の断面図である。
【図１７】図１７は、本発明による局所施肥機の使用状態の一例を概略的に示す正面図である。
【発明を実施するための形態】
【００１９】
符号１に示すものは、局所施肥機の車台である。符号２は車台１のハンドル、符号４は操作レバーである。
【００２０】
車台１は、接地走行手段３を有する。該接地走行手段３としては、例えば車輪、無限軌道等が用いられる。図１における符号３’に示すものは前輪である。
【００２１】
車台１には、駆動手段５と、穿孔ドリル７と、肥料投入手段９とを備えさせる。
【００２２】
駆動手段５としては、一例としてガソリンエンジンが用いられる。
【００２３】
穿孔ドリル７は、車台１の側部において尖端７ａを下方に臨ませた状態で上下方向に配設される。
【００２４】
穿孔ドリル７は、好ましくは、車台１における左右各側部に備えさせる。すなわち、一例として、車台１における一方の側部の前部に一つの穿孔ドリル７を配設し、車台１における他方の側部の後部に別の穿孔ドリル７を配設する。
【００２５】
穿孔ドリル７は、駆動手段５により昇降・回転して栽培樹木Ａ近傍の土壌に上下方向の孔Ｂを穿孔する。図１７に示す茶園においては、畝間Ｃの両側部における雨落ち部Ｄに孔Ｂを穿孔している。穿孔ドリル７により穿孔される各孔Ｂは、一例として、直径約３ｃｍ、深さ約２０ｃｍである。孔Ｂは、例えば約６０ｃｍ間隔で穿孔される。
【００２６】
接地走行手段３は、駆動手段５により回転駆動されるが、穿孔ドリル７が穿孔している間、回転を停止し、車台１が停車する。肥料投入手段９は、該穿孔ドリル７が穿孔した孔Ｂ中に肥料を投入する。各孔Ｂ内には、肥料投入手段９により、一例として肥効調節型肥料約９０ｇが埋め込まれる。なお、本発明においては、肥料投入手段９が穿孔ドリル７により穿孔された孔Ｂ中に肥料を投入している間については、接地走行手段３は、回転を停止してもよいが、回転を継続しても差し支えない。換言すれば、車台１を停車させた状態で肥料投入手段９に該孔Ｂ中に肥料を投入させてもよいが、車台１を走行させた状態のまま肥料投入手段９に該孔Ｂ中に肥料を投入させても差し支えない。
【００２７】
肥料投入手段９は、穿孔ドリル７とは別系統であり、該肥料投入手段９の肥料投入口８には開閉蓋１０を備えさせる。開閉蓋１０は、一例として常時閉方向に付勢されたばね体であり、ワイヤ等の引っ張り手段１０ａを備えている。開閉蓋１０は、肥料投入時にのみ引っ張り手段１０ａにより開かれ、肥料投入時以外は常時閉じている。すなわち、開閉蓋１０は穿孔ドリル７が穿孔後、上昇する時に開くように、一例として、引っ張り手段１０ａを穿孔ドリル７に関連させる。
【００２８】
以下、駆動手段５と接地走行手段３と穿孔ドリル７と肥料投入手段９との関係の一例について説明する。
【００２９】
接地走行手段３は、駆動手段５により回転駆動される。すなわち、一例として、駆動手段５はトランスミッション１１を備え、該トランスミッション１１のトランスミッションプーリ１３はＶベルト等の巻掛け伝動手段１５を介して駆動手段５の駆動手段プーリ１７に連結される。
【００３０】
トランスミッション１１は巻掛け伝動手段１９を介して走行間欠カム２１に連結されている。走行間欠カム２１は高部２１ａと低部２１ｂとを備え、該走行間欠カム２１と前記巻掛け伝動手段１５との間に巻掛け伝動手段１５のテンションを調節するためのテンション調節用従節リンク２３が配設されている。テンション調節用従節リンク２３は、走行間欠カム２１に接触するカム側コロ２３ａと、巻掛け伝動手段１５に接触する巻掛け伝動手段側コロ２３ｂとを備えている。
【００３１】
この事例においては、テンション調節用従節リンク２３のカム側コロ２３ａが走行間欠カム２１の高部２１ａに接触しているときには、巻掛け伝動手段側コロ２３ｂが巻掛け伝動手段１５を押圧し、巻掛け伝動手段１５は張った状態となり、トランスミッションプーリ１３の回転は巻掛け伝動手段１５を介して駆動手段５の駆動手段プーリ１７に伝えられる。すなわち、接地走行手段３が回転し、車台１が走行する。図４、図５、図１０、図１１参照。
【００３２】
一方、テンション調節用従節リンク２３のカム側コロ２３ａが走行間欠カム２１の低部２１ｂに接触しているときには、巻掛け伝動手段側コロ２３ｂは巻掛け伝動手段１５を押圧しないため、該巻掛け伝動手段１５は緩んだ状態となり、トランスミッションプーリ１３の回転は駆動手段プーリ１７に伝えられない。すなわち、接地走行手段３は回転せず、車台１は停車した状態となる。図６〜図９参照。
【００３３】
次に、駆動手段５と穿孔ドリル７との関係の一例について説明する。
【００３４】
まず、駆動手段５により穿孔ドリル７を昇降させる手段の一例について述べる。
駆動手段５により巻掛け伝動手段１９を介して回転する前記走行間欠カム２１の近傍にスプロケット等の第一伝動輪２５と第二伝動輪２７と第三伝動輪２９とを配設する。走行間欠カム２１と第一伝動輪２５とをローラーチェーン等の巻掛け伝動手段３１により連結し、該第一伝動輪２５と第二伝動輪２７と第三伝動輪２９とをローラーチェーン等の巻掛け伝動手段３３により連結する。
【００３５】
該第三伝動輪２９は穿孔ドリル７の近傍に配設する。該穿孔ドリル７の近傍にはドリルガイド３５を立設し、該穿孔ドリル７は連結部材３６を介してドリルガイド３５に関連させ、該穿孔ドリル７がドリルガイド３５に案内されて昇降するようになす。
【００３６】
前記第三伝動輪２９の軸３７には第一杆３９の一端３９ａを回転自在に取り付け、該第一杆３９の他端３９ｂには第二杆４１の一端４１ａを回転自在に取り付け、該第二杆４１の他端４１ｂを連結手段４３により穿孔ドリル７の連結部材３６に連結し、該穿孔ドリル７が該第二杆４１の他端４１ｂと共に昇降するようになす。図１２参照。
【００３７】
次に、駆動手段５により穿孔ドリル７を回転させる手段の一例について述べる。
【００３８】
図３に示すように、トランスミッションプーリ１３を巻掛け伝動手段４３により第一介在輪４５に関連させ、該第一介在輪４５を巻掛け伝動手段４７により第二介在輪４９に関連させる。更に、第三介在輪５１と第一ドリル駆動輪５３と第二ドリル駆動輪５５とを配設する。第二介在輪４９と第三介在輪５１と第一ドリル駆動輪５３とを巻掛け伝動手段５７により連結し、第二介在輪４９と第三介在輪５１と第二ドリル駆動輪５５とを巻掛け伝動手段５９により連結する。第一ドリル駆動輪５３には傘歯車６１を備えさせ、該傘歯車６１を一方の穿孔ドリル７に設けた傘歯車６３に歯合させる。第二ドリル駆動輪５５には傘歯車６５を備えさせ、該傘歯車６５を他方の穿孔ドリル７に設けた傘歯車６７に歯合させる。各穿孔ドリル７、７の傘歯車６３、６７は中心軸７ｂ、７ｂを備えており、該中心軸７ｂ、７ｂはそれぞれドリル本体７ｃ、７ｃに対し回転不能かつ上下動自在に連結されている（図６、図７参照）。したがって、駆動手段５により各穿孔ドリル７は回転する。なお、ドリル本体７ｃは、連結部材３６と共に昇降する（図６、図７参照）。
【００３９】
更に、駆動手段５と肥料投入手段９との関係の一例について説明する。
肥料投入手段９は、車台１の上部に肥料バケット７１を配設し、該肥料バケット７１の下方には該肥料バケット７１に連通する肥料計量ドラム７３を取り付け、該肥料計量ドラム７３の下方には下端に肥料投入口８を備えた肥料落下筒７５を取り付けてなるものである（図１４参照）。肥料計量ドラム７３は、円柱状体に切り欠き部７３ａを形成してなり、肥料バケット７１から該切り欠き部７３ａ内に落下した肥料が該肥料計量ドラム７３の回転に伴って下方に位置したときに、切り欠き部７３ａ内の肥料が肥料落下筒７５内に落下するようにしたものである。切り欠き部７３ａ内には一定量の肥料が落下するため、該切り欠き部７３ａからは一定量の肥料が肥料落下筒７５内に落下する。図１４〜図１６参照。該肥料計量ドラム７３は、該切り欠き部７３ａの容積を変更することにより、該肥料落下筒７５内に落下する肥料の量を変更することが可能である。なお、該肥料計量ドラム７３は、一例として、前記第一伝動輪２５と第二伝動輪２７と第三伝動輪２９とを連結するローラーチェーン等の巻掛け伝動手段３３により回転する。
【００４０】
肥料投入手段９における肥料計量ドラム７３には制御カム７７を取り付ける。該制御カム７７は、高部７７ａと低部７７ｂとを有し、制御輪７９の回転により進退する肥料制御用従節リンク８１を備えている（図１参照）。肥料制御用従節リンク８１は制御カム７７に接触するコロ８１ａを備えている。穿孔ドリル７が最上位置にあるときに、肥料制御用従節リンク８１が前進してコロ８１ａが制御カム７７の低部７７ｂに嵌り、制御カム７７を停止させる。したがって、ローラーチェーン等の巻掛け伝動手段３３が停止し、穿孔ドリル７は当該最上位置に保持される。このとき、肥料計量ドラム７３における切り欠き部７３ａが最上位置になり、肥料バケット７１から該切り欠き部７３ａ内に肥料が落下するようになす。図４参照。
【００４１】
接地走行手段３と穿孔ドリル７と肥料投入手段９との動きを、図４〜図１１に従って説明する。なお、下記に説明する動きは、一例に過ぎないものであり、本発明においては、肥料投入手段９が穿孔ドリル７により穿孔された孔Ｂ中に肥料を投入している間については、接地走行手段３は、回転を停止してもよいが、回転を継続しても差し支えないことは前述のとおりである。
【００４２】
［図４］
接地走行手段３は回転している。穿孔ドリル７は最上位置にある。肥料投入手段９の肥料計量ドラム７３における切り欠き部７３ａが最上位置になり、肥料バケット７１から該切り欠き部７３ａ内に肥料が落下する。
【００４３】
［図５］
接地走行手段３は停止。穿孔ドリル７は最上位置から下降を開始している。肥料投入手段９は肥料計量ドラム７３が回動を開始している。
【００４４】
［図６］
接地走行手段３は停止。穿孔ドリル７は下降中。肥料投入手段９の肥料計量ドラム７３は回動中。
【００４５】
［図７］
接地走行手段３は停止中。穿孔ドリル７は尖端７ａが土壌に貫入。肥料投入手段９においては、一定量の肥料が肥料落下筒７５内に落下を開始。肥料投入口８の開閉蓋１０は閉じている。
【００４６】
［図８］
接地走行手段３は停止中。穿孔ドリル７は最下位置にある。肥料投入手段９は肥料落下筒７５内に肥料の落下を続ける。
【００４７】
［図９］
接地走行手段３は停止中。穿孔ドリル７は最下位置から上昇を開始。肥料投入手段９は肥料落下筒７５内への肥料の落下を停止。
【００４８】
［図１０］
接地走行手段３は停止。穿孔ドリル７は土壌から上方に離れる。肥料投入手段９は肥料落下筒７５内への肥料の落下を停止。肥料投入口８の開閉蓋１０が開き、肥料を孔Ｂ内に投入。
【００４９】
［図１１］
接地走行手段３は停止。穿孔ドリル７は最上位置。肥料投入手段９は肥料落下筒７５内への肥料の落下を停止。肥料投入手段９の肥料計量ドラム７３は回動の状態へ。続いて、図４の状態となる。
【符号の説明】
【００５０】
１  車台
２  ハンドル
３  接地走行手段
４  操作レバー
５  駆動手段
７  穿孔ドリル
７ａ  尖端
７ｂ  中心軸
７ｃ  ドリル本体
８  肥料投入口
９  肥料投入手段
１０  開閉蓋
１０ａ  引っ張り手段
１１  トランスミッション
１３  トランスミッションプーリ
１５  巻掛け伝動手段
１７  駆動手段プーリ
１９  巻掛け伝動手段
２１  走行間欠カム
２１ａ  高部
２１ｂ  低部
２３  テンション調節用従節リンク
２３ａ  カム側コロ
２３ｂ  巻掛け伝動手段側コロ
２５  第一伝動輪
２７  第二伝動輪
２９  第三伝動輪
３１  巻掛け伝動手段
３３  巻掛け伝動手段
３５  ドリルガイド
３６  連結部材
３７  軸
３９  第一杆
３９ａ  一端
３９ｂ  他端
４１  第二杆
４１ａ  一端
４１ｂ  他端
４３  巻掛け伝動手段
４５  第一介在輪
４７  巻掛け伝動手段
４９  第二介在輪
５１  第三介在輪
５３  第一ドリル駆動輪
５５  第二ドリル駆動輪
５７  巻掛け伝動手段
５９  巻掛け伝動手段
６１  傘歯車
６３  傘歯車
６５  傘歯車
６７  傘歯車
７１  肥料バケット
７３  肥料計量ドラム
７３ａ  切り欠き部
７５  肥料落下筒
７７  制御カム
７７ａ  高部
７７ｂ  低部
７９  制御輪
８１  肥料制御用従節リンク
８１ａ  コロ
【図１】
2012187012.tif 000003
【図２】
2012187012.tif 000004
【図３】
2012187012.tif 000005
【図４】
2012187012.tif 000006
【図５】
2012187012.tif 000007
【図６】
2012187012.tif 000008
【図７】
2012187012.tif 000009
【図８】
2012187012.tif 000010
【図９】
2012187012.tif 000011
【図１０】
2012187012.tif 000012
【図１１】
2012187012.tif 000013
【図１２】
2012187012.tif 000014
【図１３】
2012187012.tif 000015
【図１４】
2012187012.tif 000016
【図１５】
2012187012.tif 000017
【図１６】
2012187012.tif 000018
【図１７】
2012187012.tif 000019